(57)【特許請求の範囲】
【請求項１】
選局されたチャンネルの番組の映像／音声データを記録し、表示手段で再生させるデータ記録再生装置において、
前記番組の映像／音声データを記録するデータ記憶手段と、
前記映像／音声データの記録中にユーザ所望の時点で指示入力を行うことで当該入力時を再生開始位置に指定する再生開始位置指定手段と、
前記再生開始位置を記録する再生開始位置記憶手段と、
前記データ記憶手段に記録された映像／音声データの記録時間に応じた長さのゲージと当該ゲージの近傍に再生開始位置を指定するためのポインタとを前記表示手段に表示させる第１の表示制御手段と、
前記再生開始位置指定手段によって指定された前記再生開始位置の時点のサムネイル画像データを生成するサムネイル画像生成手段と、
前記サムネイル画像データに基づいてサムネイル画像を前記表示手段に表示させる第２の表示制御手段と、
前記第２の表示制御手段により前記表示手段に表示されたサムネイル画像を指定する指定手段と、
前記指定手段により指定された前記サムネイル画像に対応する再生開始位置からの前記映像／音声データの再生を行う第１の再生制御手段と、
前記ポインタの位置を操作するポインタ位置入力手段と、
前記ポインタ位置入力手段の操作による前記ポインタの位置に基づく再生開始位置から前記映像／音声データの再生を行う第２の再生制御手段と、
前記データ記憶手段への前記番組のデータ記録動作が終了した時点で、前記再生開始位置指定手段による再生開始位置の指定がされなかった場合、前記データ記憶手段により記録された前記番組の映像／音声データを消去する第１の消去手段と、
前記データ記憶手段に記録された前記映像／音声データの記録時間が設定時間を超えると所定時間単位で記録開始から順に前記映像／音声データの記録を消去すると共に、前記再生開始位置指定手段による再生開始位置の指定がされた時点で前記映像／音声データの消去を停止する第２の消去手段と、
前記第１の表示制御手段と前記第２の表示制御手段の何れを実行するかを選択する表示制御選択手段と、
を備えることを特徴とするデータ記録再生装置。
【請求項２】
選局されたチャンネルの番組の映像／音声データを記録し、表示手段で再生させるデータ記録再生装置において、
前記番組の映像／音声データを記録するデータ記憶手段と、
前記映像／音声データの記録中にユーザ所望の時点で指示入力を行うことで当該入力時を再生開始位置に指定する再生開始位置指定手段と、
前記再生開始位置を記録する再生開始位置記憶手段と、
前記再生開始位置からの再生指示の入力を受けて前記再生開始位置からの前記映像／音声データの再生を行う第１の再生制御手段と、
前記データ記憶手段への前記番組のデータ記録動作が終了した時点で、前記再生開始位置指定手段による再生開始位置の指定がされなかった場合、前記データ記憶手段により記録された前記番組の映像／音声データを消去する第１の消去手段と、
を備えることを特徴とするデータ記録再生装置。
【請求項３】
前記データ記憶手段に記録された映像／音声データの記録時間に応じた長さのゲージと当該ゲージの近傍に再生開始位置を指定するためのポインタとを前記表示手段に表示させる第１の表示制御手段と、
前記ポインタの位置を操作するポインタ位置入力手段と、
前記ポインタ位置入力手段の操作による前記ポインタの位置に基づく再生開始位置から前記映像／音声データの再生を行う第２の再生制御手段と、
を備えることを特徴とする請求項２に記載のデータ記録再生装置。
【請求項４】
前記再生開始位置指定手段によって指定された前記再生開始位置の時点のサムネイル画像データを生成するサムネイル画像生成手段と、
前記サムネイル画像データに基づいてサムネイル画像を前記表示手段に表示させる第２の表示制御手段と、
前記第２の表示制御手段により前記表示手段に表示されたサムネイル画像を指定する指定手段と、を備え、
前記第１の再生制御手段は、前記指定手段により指定された前記サムネイル画像に対応する再生開始位置からの前記映像／音声データの再生を行うことを特徴とする請求項２又は３に記載のデータ記録再生装置。
【請求項５】
前記第１の表示制御手段と前記第２の表示制御手段の何れを実行するかを選択する表示制御選択手段を備えることを特徴とする請求項４に記載のデータ記録再生装置。
【請求項６】
前記データ記憶手段に記録された前記映像／音声データの記録時間が設定時間を超えると所定時間単位で記録開始から順に前記映像／音声データの記録を消去する共に、前記再生開始位置指定手段による再生開始位置の指定がされた時点で前記映像／音声データの消去を停止する第２の消去手段を備えることを特徴とする請求項２から５のいずれか一項に記載のデータ記録再生装置。
【発明の詳細な説明】
【技術分野】
【０００１】
本発明は、データ記録再生装置に関する。
【背景技術】
【０００２】
近年、固定ディスク駆動装置（以下で単にＨＤＤという）を搭載したハードディスクビデオレコーダ（以下で単に記録再生装置ともいう）が使用されるに至ってきた。
【０００３】
当該記録再生装置には、例えば、ＴＶ用リモコンによる選局操作以外の特別な操作を行わなくても、テレビジョン受像機によって視聴している番組と同じ番組が自動的にハードディスクビデオレコーダに録画され、現在視聴中の番組を時間的に遡って視聴し直すことができる装置がある（特許文献１参照）。
【０００４】
また、例えば、デジタル情報を記録及び再生する場合に、固定ディスク駆動装置の記憶領域に予め設定した所定記録容量以上の空き領域を自動的に確保できるようにすると共に、所定の記録容量の中でデジタル情報をファイル毎に管理できるようにする装置がある（特許文献２参照）。
【特許文献１】特開２００３−２３４９８８号公報
【特許文献２】特開２００２−０９３１１９号公報
【発明の開示】
【発明が解決しようとする課題】
【０００５】
しかしながら、特許文献１及び２に開示された記録再生装置によれば、記録保存されたデータを再生させる場合、ユーザ所望の再生開始位置から再生することができない。
【０００６】
また、特許文献１及び２に開示された記録再生装置によれば、ユーザが再生して見る可能性があるか否かにかかわらず、一律にデータが記録保存されてしまうという問題があった。
【０００７】
本発明の課題は、ユーザ所望の再生開始位置から容易に再生可能で、且つ、再生して見る可能性が低いデータを効率よく消去して、記録容量の節約を図ることができるデータ記録再生装置を提供することである。
【課題を解決するための手段】
【０００８】
上記課題を解決するため、請求項１に記載の発明は、  選局されたチャンネルの番組の映像／音声データを記録し、表示手段で再生させるデータ記録再生装置において、
前記番組の映像／音声データを記録するデータ記憶手段と、
前記映像／音声データの記録中にユーザ所望の時点で指示入力を行うことで当該入力時を再生開始位置に指定する再生開始位置指定手段と、
前記再生開始位置を記録する再生開始位置記憶手段と、
前記データ記憶手段に記録された映像／音声データの記録時間に応じた長さのゲージと当該ゲージの近傍に再生開始位置を指定するためのポインタとを前記表示手段に表示させる第１の表示制御手段と、
前記再生開始位置指定手段によって指定された前記再生開始位置の時点のサムネイル画像データを生成するサムネイル画像生成手段と、
前記サムネイル画像データに基づいてサムネイル画像を前記表示手段に表示させる第２の表示制御手段と、
前記第２の表示制御手段により前記表示手段に表示されたサムネイル画像を指定する指定手段と、
前記指定手段により指定された前記サムネイル画像に対応する再生開始位置からの前記映像／音声データの再生を行う第１の再生制御手段と、
前記ポインタの位置を操作するポインタ位置入力手段と、
前記ポインタ位置入力手段の操作による前記ポインタの位置に基づく再生開始位置から前記映像／音声データの再生を行う第２の再生制御手段と、
前記データ記憶手段への前記番組のデータ記録動作が終了した時点で、前記再生開始位置指定手段による再生開始位置の指定がされなかった場合、前記データ記憶手段により記録された前記番組の映像／音声データを消去する第１の消去手段と、
前記データ記憶手段に記録された前記映像／音声データの記録時間が設定時間を超えると所定時間単位で記録開始から順に前記映像／音声データの記録を消去すると共に、前記再生開始位置指定手段による再生開始位置の指定がされた時点で前記映像／音声データの消去を停止する第２の消去手段と、
前記第１の表示制御手段と前記第２の表示制御手段の何れを実行するかを選択する表示制御選択手段と、
を備えることを特徴とする。
【０００９】
請求項２に記載の発明は、選局されたチャンネルの番組の映像／音声データを記録し、表示手段で再生させるデータ記録再生装置において、
前記番組の映像／音声データを記録するデータ記憶手段と、
前記映像／音声データの記録中にユーザ所望の時点で指示入力を行うことで当該入力時を再生開始位置に指定する再生開始位置指定手段と、
前記再生開始位置を記録する再生開始位置記憶手段と、
前記再生開始位置からの再生指示の入力を受けて前記再生開始位置からの前記映像／音声データの再生を行う第１の再生制御手段と、
前記データ記憶手段への前記番組のデータ記録動作が終了した時点で、前記再生開始位置指定手段による再生開始位置の指定がされなかった場合、前記データ記憶手段により記録された前記番組の映像／音声データを消去する第１の消去手段と、
を備えることを特徴とするデータ記録再生装置。
【００１０】
請求項３に記載の発明は、請求項２に記載のデータ記録再生装置において、前記データ記憶手段に記録された映像／音声データの記録時間に応じた長さのゲージと当該ゲージの近傍に再生開始位置を指定するためのポインタとを前記表示手段に表示させる第１の表示制御手段と、
前記ポインタの位置を操作するポインタ位置入力手段と、
前記ポインタ位置入力手段の操作による前記ポインタの位置に基づく再生開始位置から前記映像／音声データの再生を行う第２の再生制御手段と、
を備えることを特徴とする。
【００１１】
請求項４に記載の発明は、請求項２又は３に記載のデータ記録再生装置において、前記再生開始位置指定手段によって指定された前記再生開始位置の時点のサムネイル画像データを生成するサムネイル画像生成手段と、
前記サムネイル画像データに基づいてサムネイル画像を前記表示手段に表示させる第２の表示制御手段と、
前記第２の表示制御手段により前記表示手段に表示されたサムネイル画像を指定する指定手段と、を備え、
前記第１の再生制御手段は、前記指定手段により指定された前記サムネイル画像に対応する再生開始位置からの前記映像／音声データの再生を行うことを特徴とする。
【００１２】
請求項５に記載の発明は、請求項４に記載のデータ記録再生装置において、前記第１の表示制御手段と前記第２の表示制御手段の何れを実行するかを選択する表示制御選択手段を備えることを特徴とする。
【００１３】
請求項６に記載の発明は、請求項２から５のいずれか一項に記載のデータ記録再生装置において、前記データ記憶手段に記録された前記映像／音声データの記録時間が設定時間を超えると所定時間単位で記録開始から順に前記映像／音声データの記録を消去する共に、前記再生開始位置指定手段による再生開始位置の指定がされた時点で前記映像／音声データの消去を停止する第２の消去手段を備えることを特徴とする。
【発明の効果】
【００１４】
請求項１に記載の発明によれば、データ記憶手段によって、選局されたチャンネルの番組の映像／音声データを記録することができ、再生開始位置指定手段によって、映像／音声データの記録中にユーザ所望の時点で指示入力を行うことで当該入力時を再生開始位置に指定することができ、再生開始位置記憶手段によって、再生開始位置を記録することができ、第１の表示制御手段によって、記録された映像／音声データの記録時間に応じた長さのゲージと当該ゲージの近傍に再生開始位置を指定するためのポインタとを表示手段に表示させることができ、サムネイル画像生成手段によって、再生開始位置指定手段によって指定された再生開始位置の時点のサムネイル画像データを生成することができ、第２の表示制御手段によって、サムネイル画像データに基づいてサムネイル画像を表示させることができ、指定手段によって、第２の表示制御手段により表示されたサムネイル画像を指定することができ、第１の再生制御手段によって、指定されたサムネイル画像に対応する再生開始位置からの映像／音声データの再生を行うことができ、ポインタ位置入力手段によって、ポインタの位置を操作することができ、第２の再生制御手段によって、操作によるポインタの位置に基づく再生開始位置から映像／音声データの再生を行うことができ、第１の消去手段によって、当該記録再生装置によるデータ記憶手段への番組のデータ記録動作が終了した時点で、再生開始位置指定手段による再生開始位置の指定がされなかった場合、データ記憶手段により記録された番組の映像／音声データを消去することができ、第２の消去手段によって、データ記憶手段に記録された映像／音声データの記録時間が設定時間を超えると所定時間単位で記録開始から順に映像／音声データの記録を消去すると共に、再生開始位置指定手段による再生開始位置の指定がされた時点で映像／音声データの消去を停止することができ、表示制御選択手段によって、第１の表示制御手段と第２の表示制御手段の何れを実行するかを選択することができる。
すなわち、再生開始位置指定手段によって再生開始位置に指定することができるので、ユーザ所望の再生開始位置から容易に、記録された映像／音声データの再生が可能で、且つ、再生開始位置指定手段による再生開始位置の指定がされなかった場合、データ記憶手段により記録された映像／音声データが自動的に消去することができるので、再生して見る可能性が低いデータを効率よく消去して、記録容量の節約を図ることができる。
また、ユーザによって、表示手段に表示されたポインタの位置を操作し、当該ポインタの位置が入力されると、ポインタの位置に基づく再生開始位置から記録された映像／音声データの再生を行うことができる。更に、ユーザによって、表示手段に表示された所望の再生開始位置に基づくサムネイル画像が指定されると、当該サムネイル画像に対応する再生開始位置から記録された映像／音声データの再生を行うことができる。したがって、ユーザ所望の再生開始位置から容易に再生することができ、ユーザにとって使い勝手が良い。
また、第１の表示制御手段と第２の表示制御手段とを、表示制御選択手段によって選択できるため、ユーザにとってさらに使い勝手が良い。
また、ユーザにより、再生開始位置の指定がされない場合、データ記憶手段に記録された映像／音声データの記録時間が設定時間を超えると所定時間単位で記録開始から順に映像／音声データの記録を消去する。したがって、データの記録動作が長時間続く場合であっても、映像／音声データを効率よく消去して、記録容量の節約を図ることができる。
【００１５】
請求項２に記載の発明によれば、再生開始位置指定手段によって、番組の映像／音声データの記録中にユーザ所望の時点で指示入力を行うことで当該入力時を再生開始位置に指定することができ、再生開始位置記憶手段によって、再生開始位置を記録することができ、第１の再生制御手段によって、再生開始位置からの再生指示の入力を受けて再生開始位置からの映像／音声データの再生を行うことができる。また、第１の消去手段によって、データ記憶手段への番組のデータ記録動作が終了した時点で、再生開始位置指定手段による再生開始位置の指定がされなかった場合、前記データ記憶手段により記録された番組の映像／音声データを消去することができる。
すなわち、ユーザにより、再生開始位置指定手段によって再生開始位置に指定することができるので、ユーザ所望の再生開始位置から容易に、記録された番組の映像／音声データの再生が可能で、且つ、再生開始位置指定手段による再生開始位置の指定がされなかった場合、データ記憶手段により記録された番組の映像／音声データが自動的に消去することができるので、再生して見る可能性が低いデータを効率よく消去して、記録容量の節約を図ることができる。
【００１６】
請求項３に記載の発明によれば、請求項２に記載のデータ記録再生装置において、第１の表示制御手段によって、データ記憶手段に記録された映像／音声データの記録時間に応じた長さのゲージと当該ゲージの近傍に再生開始位置を指定するためのポインタとを表示手段に表示させることができ、ポインタ位置入力手段によって、ポインタの位置を操作することができ、第２の再生制御手段によって、ポインタ位置入力手段の操作によるポインタの位置に基づく再生開始位置から映像／音声データの再生を行うことができる。
すなわち、ユーザによって、表示手段に表示されたポインタの位置を操作し、当該ポインタの位置が入力されると、ポインタの位置に基づく再生開始位置から記録された映像／音声データの再生を行うことができる。したがって、ユーザ所望の再生開始位置から容易に再生することができ、ユーザにとって使い勝手が良い。
【００１７】
請求項４に記載の発明によれば、請求項２又は３に記載のデータ記録再生装置において、サムネイル画像生成手段によって、再生開始位置指定手段によって指定された再生開始位置の時点のサムネイル画像データを生成することができ、第２の表示制御手段によって、サムネイル画像データに基づいてサムネイル画像を表示手段に表示させることができ、指定手段によって、第２の表示制御手段により表示手段に表示されたサムネイル画像を指定することができ、第１の再生制御手段は、指定手段により指定されたサムネイル画像に対応する再生開始位置からの映像／音声データの再生を行うことができる。
すなわち、ユーザによって、表示手段に表示された所望の再生開始位置に基づくサムネイル画像が指定されると、当該サムネイル画像に対応する再生開始位置から記録された映像／音声データの再生を行うことができる。したがって、ユーザ所望の再生開始位置から容易に再生することができ、ユーザにとって使い勝手が良い。
【００１８】
請求項５に記載の発明によれば、請求項４に記載のデータ記録再生装置において、さらに表示制御選択手段を備えることによって、第１の表示制御手段と第２の表示制御手段の何れを実行するかを選択することができる。
すなわち、表示制御手段を選択することができるため、ユーザにとってさらに使い勝手が良い。
【００１９】
請求項６に記載の発明によれば、請求項２から５のいずれか一項に記載のデータ記録再生装置において、第２の消去手段をさらに備えることによって、データ記憶手段に記録された映像／音声データの記録時間が設定時間を超えると所定時間単位で記録開始から順に映像／音声データの記録を消去する共に、再生開始位置指定手段による再生開始位置の指定がされた時点で映像／音声データの消去を停止することができる。
すなわち、ユーザにより、再生開始位置の指定がされない場合、データ記憶手段に記録された映像／音声データの記録時間が設定時間を超えると所定時間単位で記録開始から順に映像／音声データの記録を消去する。したがって、データの記録動作が長時間続く場合であっても、映像／音声データを効率よく消去して、記録容量の節約を図ることができる。
【発明を実施するための最良の形態】
【００２０】
以下、図を参照しながら、本発明にかかるデータ記録再生装置の最良の形態を詳細に説明する。
なお、発明の範囲は、図示例に限定されない。
【００２１】
＜データ記録再生装置の構成＞
まず、データ記録再生装置１の構成について、図１を参照して説明する。
データ記録再生装置１は、いわゆるハードディスクレコーダーであり、ユーザが各種指示を遠隔操作によって入力するためのリモートコントロール装置（以下、リモコンという。）２と、放送信号を受信するアンテナ３と、アンテナ３により受信された放送信号から所定の放送チャンネルの放送信号を選局するチューナ４と、チューナ４から出力された映像／音声データに所定の信号処理を行う入力インターフェース部５と、入力インターフェース部５から出力された映像／音声データに圧縮処理を行うエンコーダ６と、データ記録再生装置１に内蔵されたハードディスク７１に対して映像／音声データの記録及び再生を行うＨＤＤ部７と、ＨＤＤ部７から出力された映像／音声データに伸張処理を行うデコーダ８と、デコーダ８から出力された映像／音声データに対して所定の信号処理を行う出力インターフェース部９と、リモコン２からの入力操作信号を受信するとともに、当該入力操作信号を制御部１１に出力するリモコン信号受光部１０と、データ記録再生装置１全体を統括制御する制御部１１と、各部を接続する制御バス１２と、を備えて構成されている。
【００２２】
リモコン２には、リモコン２の各種操作に対応したキーが設けられており、キーの押下操作によって入力操作信号をリモコン信号受光部１０に向けて送信する。具体的には、例えば、図２に示すように、ユーザ所望の時点で再生開始位置の指定入力を行うための再生位置指定キー２１と、再生開始位置からの再生指示入力を行うための再生キー２２と、テレビジョン受像機２００の表示画面上に表示されたポインタを移動させるための方向キー２３と、各種操作を決定するための決定キー２４とを備えている。
【００２３】
アンテナ３は、屋外において所定の方向に向けて配置されており、記録モードにおいて、図示しないテレビジョン放送局から発信される高周波の放送信号（RF信号）を受信して、当該放送信号をチューナ４に出力する。
【００２４】
チューナ４は、アンテナ３によって、当該放送信号の周波数を選局するための制御部１１からの制御信号に応じて、特定周波数帯の放送信号を受信する。そして当該受信した放送信号を所定の中間周波数を有するＩＦ（中間周波：Intermediate Frequency）信号に変換して、入力インターフェース部５に出力する。
【００２５】
入力インターフェース部５は、例えば、チューナ４から出力されたＩＦ信号に対してＡ／Ｄ変換、誤り訂正等の各種入力インターフェース処理を施し、所定の映像／音声データに変換してエンコーダ６に出力する。
【００２６】
エンコーダ６は、例えば、入力インターフェース部５又はＨＤＤ部７から出力された映像データを、ＭＰＥＧ（Moving Picture Experts Group）方式に従って圧縮するとともに、音声データをＭＰＥＧオーディオ方式に従って圧縮し、ＨＤＤ部７においてハードディスク７１に書き込み可能な所定の映像／音声データに変換する。
当該エンコーダ６において生成された映像／音声データは、ＨＤＤ部７に出力されることとなる。
【００２７】
ＨＤＤ部７は、例えば、ＡＴＡ（AT Attachment）規格を採用しており、内蔵されたハードディスク７１と、ハードディスク７１に対するデータの記録或いはハードディスク７１に記録されたデータの読み出しを行う磁気ヘッド７２と、ハードディスク７１を回転駆動させるとともに、磁気ヘッド７２をハードディスク７１の半径方向に移動させるための駆動部７３と、等を備えて構成されている。ハードディスク７１は、非磁性体のディスク基板（図示省略）と、その上に設けられた磁性層（図示省略）と、を備えて成り、磁気ヘッド７２とハードディスク７１との間に、電流を供給することにより磁界を発生する微小なギャップを有している。
【００２８】
ＨＤＤ部７の構成について、さらに詳しく説明する。
ハードディスク７１は、図示は省略するが、システム管理領域と、タイムシフト領域と、記録ファイル領域と、を備えており、さらに、記録ファイル領域は、ヘッダ領域及びコンテンツ領域を含む構成となっている。ヘッダ領域には、放送番組等のタイトル、録画時間等のデータが格納され、記録が行われる映像／音声データ等のコンテンツデータは、コンテンツ領域に格納される。当該記録領域は、ハードディスク７１に対する記録の指示に基づいて、映像／音声データの記録が行われる。
【００２９】
デコーダ８は、ＨＤＤ部７から出力された映像データを、ＭＰＥＧ方式に従って伸張するとともに、音声データをＭＰＥＧオーディオ方式に従って伸張し、所定の映像／音声データに変換する。
当該デコーダ８において生成された映像／音声データは、出力インターフェース部９に出力されこととなる。
【００３０】
出力インターフェース部９は、デコーダ８から出力された映像／音声データにＤ／Ａ変換等の各種出力インターフェース処理を施し、ＮＴＳＣ規格等の映像／音声データを生成する。生成された映像／音声データは、機器本体１に接続されたテレビジョン受像機２００の図示しないディスプレイ、スピーカ等に出力されることとなる。
【００３１】
リモコン信号受光部１０は、リモコン２に備わる各種キーがユーザにより押下操作されることにより出力された赤外線等の入力操作信号を受信し、当該入力操作信号を制御部１１に出力する。
【００３２】
制御部１１は、Ｉ／Ｏポート１１１と、ＣＰＵ（Central Processing Unit）１１２と
、計時部１１３と、メモリ部１１４と、ＲＯＭ（Read Only Memory）１１５と、等を備えて構成されている。
【００３３】
ＣＰＵ１１２は、データ記録再生装置１の各部からＩ／Ｏポート１１１を介して入力された入力信号及びリモコン２の各種キーの押下操作によってリモコン信号受光部１０及びＩ／Ｏポート１１１を介して入力された入力操作信号等に応じて、ＲＯＭ１１５に格納された各種プログラムを実行するとともに、Ｉ／Ｏポート１１１を介して各部に出力信号を出力することによって、データ記録再生装置１の動作全般を統括制御する。
【００３４】
計時部１１３は、例えば、現在時刻を計時しており、ＣＰＵ１１２からの指示出力に応じて、計時した現在時刻データをＣＰＵ１１２に出力する。
【００３５】
メモリ部１１４は、図示しないＲＡＭ（Random Access Memory）を備え、ＣＰＵ１１２によって各種プログラムが実行される際に生じる処理結果や、入力されたデータ等を当該ＲＡＭに記憶する。
【００３６】
ＲＯＭ１１５は、例えば、記録制御プログラム１１５ａ、再生開始位置指定プログラム１１５ｂ、第１の再生制御プログラム１１５ｃ、第１の消去プログラム１１５ｄ、第２の消去プログラム１１５ｅ、第１の表示制御プログラム１１５ｆ、第２の再生制御プログラム１１５ｇ、サムネイル画像生成プログラム１１５ｈ、第２の表示制御プログラム１１５ｉ等を備えて構成されている。
【００３７】
記録制御プログラム１１５ａは、例えば、ＣＰＵ１１２に、現在選局されている番組の録画動作を開始するべく、録画開始指令を発する機能を実現させるプログラムである。
具体的には、ＣＰＵ１１２は、記録制御プログラム１１５ａを実行することにより、装置の主電源投入時において、アンテナ３により放送信号を受信すると、当該受信した放送信号に対して、チューナ４、入力インターフェース部５、エンコーダ６等により信号処理を施し、ＨＤＤ部７において、ハードディスク７１に映像／音声データの記録を実行するように各部の制御を行う。
【００３８】
再生開始位置指定プログラム１１５ｂは、ＣＰＵ１１２に、ユーザ所望の時点で再生開始位置の指定入力が行われると、指示入力された再生開始位置データの記録動作を開始するべく、記録開始指令を発する機能を実現させるプログラムである。
具体的には、ＣＰＵ１１２は、再生開始位置指定プログラム１１５ｂを実行することにより、ユーザの再生開始位置指定手段としてのリモコン２の再生開始位置指定キー２１の操作によりリモコン信号受光部１０を介して再生開始位置の指定入力が行われると、再生開始位置記憶手段としてのハードディスク７１に対して再生開始位置データの記録を実行するようにＨＤＤ部７の制御を行う。
例えば、ＣＰＵ１１２は、ハードディスク７１に、映像／音声データとは別の記憶領域を予め用意して当該領域に再生開始位置データとしてリモコンによる記録の指示の時刻を記録するか、或いは、映像／音声データのインデックス情報中に記録指示の時刻を記録する処理を実行する。
なお、一つの映像／音声データに対して再生開始位置データは複数記録することが可能である。つまり、映像／音声データの記録中において、異なる時刻にリモコン２により複数回の再生開始位置の指定入力を行っても良い。
【００３９】
第１の再生制御プログラム１１５ｃは、リモコン２の再生キー２２を通じて再生開始位置からの再生指示が入力されると、ＣＰＵ１１２に、再生開始位置データとして記録された再生開始位置からの映像／音声データの再生を行わせる機能を実現させるプログラムである。
具体的には、ＣＰＵ１１２は第１の再生制御プログラム１１５ｃを実行することにより、リモコン信号受光部１０を介して再生開始位置からの再生指示を受信すると、ハードディスク７１から再生開始位置データとして記録された再生開始位置の指定入力が行われた時刻を読み出すと共に、当該時刻に基づいてハードディスク７１に記録されている映像／音声データのいずれの位置から再生を行うかを求め、当該位置から再生を実行するようにＨＤＤ部７を制御する。
再生開始位置の指定入力が行われた時刻に基づいて映像／音声データのいずれの位置から再生を行うかは、映像／音声データのインデックス情報や映像／音声データ中の随所に記録された時刻情報を参照したり、映像／音声データのビットレートに基づいて再生の開始すべき位置を算出することで求めることが可能である。
なお、リモコン２による再生開始位置からの再生指示の入力は、後述するサムネイル画像を用いて行われるが、この点については、サムネイル画像生成プログラム１１５ｈについて説明した後に詳述することにする。
【００４０】
第１の消去プログラム１１５ｄは、ＣＰＵ１１２に、データ記録動作が終了した時点で、再生開始位置指定手段としてのリモコン２の再生開始位置指定キー２１による再生開始位置の指定がされなかった場合、ハードディスク７１により記録された映像／音声データを消去する機能を実現させるプログラムである。
即ち、ＣＰＵ１１２は第１の消去プログラム１１５ｄを実行することにより第１の消去手段として機能する。
具体的には、ＣＰＵ１１２は第１の消去プログラム１１５ｄを実行することにより、受信された放送信号に基づく映像／音声データの記録中に再生開始位置の指定があるとその履歴をメモリ部１１４に記録し、例えば、現在選局されている番組終了時点、放送チャンネルの変更時点や装置の主電源ＯＦＦの時点でメモリ部１１４内の再生開始位置の指定履歴を参照して、再生開始位置の指定がなかったときにはその映像／音声データをハードディスク７１から自動的に消去するようにＨＤＤ部７の制御を行う。
【００４１】
第２の消去プログラム１１５ｅは、ＣＰＵ１１２に、ハードディスク７１に記録された映像／音声データの記録時間が設定時間を超えると所定時間単位で記録開始から順に映像／音声データの記録を消去すると共に、再生開始位置指定手段による再生開始位置の指定がされた時点で映像／音声データの消去を停止する機能を実現させるプログラムである。
即ち、ＣＰＵ１１２は第２の消去プログラム１１５ｅを実行することにより第２の消去手段として機能する。
具体的には、ＣＰＵ１１２は第２の消去プログラム１１５ｅを実行することにより、映像／音声データの記録中において周期的に記録時間の計時を行い、予め設定されていた映像／音声データの記録限界時間と比較してこれを超えると、記録されている映像／音声データについて記録開始から順に所定単位時間ごとにデータの消去を行うようにＨＤＤ部７の制御を行う。また、ＣＰＵ１１２は、第２の消去プログラム１１５ｅを実行することにより、映像／音声データの記録中において、リモコン２の再生開始位置指定キー２１による再生開始位置の指定の有無を監視し、指定が行われたときには、それ以降の所定単位時間ごとのデータの消去を中止して記録限界時間を超えて映像／音声データの記録を行うようにＨＤＤ部７の制御を行う。
【００４２】
第１の表示制御プログラム１１５ｆは、ＣＰＵ１１２に、ハードディスク７１に記録された映像／音声データの記録時間に応じた長さのゲージと当該ゲージの近傍に再生開始位置を指定するためのポインタとをテレビジョン受像機２００に表示させる機能を実現させるプログラムである。
即ち、ＣＰＵ１１２は第１の表示制御プログラム１１５ｆを実行することにより第１の表示制御手段として機能する。
具体的には、例えば、図３に示すような映像／音声データの記録時間を示す横棒状のゲージａの画像データとポインタｂの画像データとが予めハードディスク７１内に用意されており、ＣＰＵ１１２は第１の表示制御プログラム１１５ｆを実行することにより、映像／音声データの記録後において、横棒状のゲージａと当該ゲージａの脇に位置するようにポインタｂとをテレビジョン受像機２００に表示させるように制御する。
また、ＣＰＵ１１２は第１の表示制御プログラム１１５ｆを実行することにより、リモコン２からの操作入力に応じて、ポインタｂをゲージａに沿ってその一端側又は他端側に移動させるように表示制御を行う。
【００４３】
第２の再生制御プログラム１１５ｇは、ＣＰＵ１１２に、リモコン操作によるポインタ位置に基づく再生開始位置から映像／音声データの再生を行う機能を実現させるプログラムである。
即ち、ＣＰＵ１１２は第２の再生制御プログラム１１５ｇを実行することにより第２の再生制御手段として機能する。
具体的には、ＣＰＵ１１２は、第２の再生制御プログラム１１５ｇを実行することにより、映像／音声データの記録後において、リモコン２の再生キー２２、方向キー２３、決定キー２４による操作入力に応じてゲージａに沿って移動位置決めされたポインタｂの現在位置から、ゲージａの全長を記録時間全体とした場合におけるポインタｂの現在位置が示す時間を求め、これを再生開始位置として再生を実行するようにＨＤＤ部７を制御する。
ポインタｂが示す時刻に基づいて映像／音声データのいずれの位置から再生を行うかは、映像／音声データのインデックス情報や映像／音声データ中の随所に記録された時刻情報を参照したり、映像／音声データのビットレートに基づいて再生を開始すべき位置を算出することで求めることが可能である。
【００４４】
サムネイル画像生成プログラム１１５ｈは、例えば、ＣＰＵ１１２が、再生開始位置指定の時点での静止画像データをサムネイル画像データとしてＨＤＤ部７に記録を実行させるように制御を実現させるプログラムである。
即ち、ＣＰＵ１１２は、サムネイル画像生成プログラム１１５ｈを実行することによりサムネイル画像生成手段として機能する。
具体的には、ＣＰＵ１１２は、サムネイル画像生成プログラム１１５ｈを実行することにより、映像／音声データの記録中において、再生開始位置の指定入力の有無を監視し、再生開始位置の指定の入力があると、入力時における静止画像データを映像／音声データから抽出し、当該静止画像データをサムネイル画像データとしてハードディスク７１の映像／音声データとは別の領域に記録するようにＨＤＤ部７の制御を行う。
【００４５】
第２の表示制御プログラム１１５ｉは、例えば、ＣＰＵ１１２に、サムネイル画像データ生成プログラム１１５ｈにより生成されたサムネイル画像データに基づく画像をテレビジョン受像機２００に表示させる機能を実現させるプログラムである。
ＣＰＵ１１２は、かかる第２の表示制御プログラム１１５ｉを実行することによって、表示制御手段として機能する。
具体的には、ＣＰＵ１１２は、第２の表示制御プログラム１１５ｉを実行することにより、映像／音声データの記録中に取得されたサムネイル画像データを読み出すと共に、当該サムネイル画像データを所定サイズに縮小して、例えば、図４に示すようなサムネイル画像Ｇをテレビジョン受像機に表示させるように制御する。また、一つの映像／音声データについて複数の再生開始位置の指定が行われて複数のサムネイル画像データが生成された場合には、これらを全て並べて表示させる。
【００４６】
なお、前述したように、リモコン２による再生開始位置からの再生指示の入力は、サムネイル画像Ｇを用いて行われることになる。つまり、複数のサムネイル画像Ｇ・・・の表示状態において、ＣＰＵ１１２は、図４に示すようなリモコン２の方向キー２３の入力に応じて、何れか一つのサムネイル画像Ｇを選択させることを可能とする。このとき、リモコン２は、表示されたサムネイル画像Ｇを指定する指定手段として機能することとなる。この場合、例えば、一つのサムネイル画像Ｇのみについてその縁取りを蛍光色表示させると共に、リモコン２の方向キー２３の入力に応じて隣接する他のサムネイル画像Ｇに縁取り蛍光表示を切り替える。そして、決定キーが入力されたときに縁取り蛍光表示を行っていたサムネイル画像に対応する再生開始位置により再生を実行するようにＨＤＤ部７を制御する。  
【００４７】
また、ＣＰＵ１１２は、第１の表示制御プログラム１１５ｆの実行により表示されるゲージａとポインタｂを用いて再生開始位置の指定を行う処理と、第２の表示制御プログラム１１５ｉの実行により表示されるサムネイル画像Ｇを用いて再生開始位置の指定を行う処理のいずれを実行するかを選択する選択キーをリモコン２に設けても良い。これにより、データ記録再生装置１の使用者は、所望する何れかの方法により任意に再生開始位置の指定を行うことが可能となる。
【００４８】
＜記録再生装置による処理＞
次に、記録再生装置１による各種処理について説明する。
【００４９】
（記録処理、消去処理）
まず、データ記録再生装置１による映像／音声データの記録及び消去に関する処理について、図５のフローチャートを参照して説明する。
【００５０】
まず、ユーザによるリモコン操作によってチャンネルが指定されることにより、ユーザ所望の映像／音声データが指定されると（ステップＳ１）、ＣＰＵ１１２は、チューナ４に指示を出して、アンテナ３及びチューナ４に、当該指定された映像／音声データの取得を開始させる（ステップＳ１）と同時に、記録動作を開始する（ステップＳ２）。
【００５１】
次いで、ＣＰＵ１１２は、再生開始位置指定入力が行われたか否かを判断する（ステップＳ３）。
【００５２】
ステップＳ３で、ＣＰＵ１１２は、再生開始位置指定入力が行われたと判断すると（ステップＳ３；Ｙｅｓ）、ハードディスク７１に、ステップＳ３で入力された再生開始位置データを記録させる（ステップＳ４）。
【００５３】
また、ＣＰＵ１１２は、サムネイル画像データ生成プログラム１１５ｈにより、サムネイル画像データを生成すると共に、ハードディスク７１に、ステップＳ３で入力された再生開始位置に対応するサムネイル画像データを記録させる（ステップＳ５）。
【００５４】
一方、ステップＳ３で、ＣＰＵ１１２は、再生開始位置指定入力が行われていないと判断すると（ステップＳ３；Ｎｏ）、ステップＳ４及びステップＳ５をスキップして直接ステップＳ６に進む。
【００５５】
次いで、ステップＳ６において、ＣＰＵ１１２は、映像／音声データの記録設定時間を超えたか否かを判定する（ステップＳ６）。
【００５６】
ステップＳ６において、ＣＰＵ１１２は、記録設定時間を超えたと判定すると（ステップＳ６；Ｙｅｓ）、さらに再生開始位置の指定がされたか否かを判定し（ステップＳ７）、再生開始位置の指定がされていないと判定すると（ステップＳ７；Ｎｏ）、所定時間単位で記録開始から順に映像／音声データを消去する（ステップＳ８）。また、ＣＰＵ１１２は、再生開始位置の指定がされていると判定すると（ステップＳ７；Ｙｅｓ）、ステップＳ８をスキップして直接ステップＳ９に進む。
【００５７】
一方、ステップＳ６において、ＣＰＵ１１２は、記録設定時間を超えないと判定すると（ステップＳ６；Ｎｏ）、ステップＳ７及びステップＳ８をスキップして直接ステップＳ９に進む。
【００５８】
次いで、ＣＰＵ１１２は、ユーザによる操作により、映像／音声データの取得が終了したか否かを判定する（ステップＳ９）。
【００５９】
ステップＳ９おいて、ＣＰＵ１１２は、映像／音声データの取得が終了したと判定すると（ステップＳ９；Ｙｅｓ）、映像／音声データの取得を終了する（ステップＳ１０）。
【００６０】
一方、ステップＳ９において、ＣＰＵ１１２は、映像／音声データの取得が終了していないと判定すると（ステップＳ９；Ｎｏ）、ステップＳ３以降の処理を繰り返して行う。
【００６１】
次いで、ＣＰＵ１１２は、映像／音声データ取得終了後、再生開始位置が指定されたか否かを判定する（ステップＳ１１）。
【００６２】
ステップＳ１１において、ＣＰＵ１１２は、再生開始位置が指定されたと判定すると（ステップＳ１１；Ｙｅｓ）、本処理を終了する。
【００６３】
一方、ステップＳ１１において、ＣＰＵ１１２は、再生開始位置が指定されていないと判定すると（ステップＳ１２；Ｎｏ）、記録された映像／音声データを消去して（ステップＳ１２）、本処理を終了する。
【００６４】
（再生処理）
データ記録再生装置１による映像／音声データの再生に関する処理について、図６のフローチャートを参照して説明する。
【００６５】
まず、ユーザによるリモコン２の操作などによって、再生開始位置設定の指示画面を表示させ、ポインタにより再生開始位置を入力するか、サムネイル画像データを表示させ、表示されたサムネイル画像を指定することで再生を開始するかを選択する（ステップＳ２１）。
【００６６】
ステップＳ２１で、ポインタによる再生開始位置入力表示が選択されると、ＣＰＵ１１２は、当該選択に従って、記録された映像／音声データの記録時間に応じた長さのゲージと当該ゲージの近傍に再生開始位置を指定するためのポインタとをテレビジョン受像機２００に表示させる（ステップＳ２２）。
【００６７】
次いで、ＣＰＵ１１２は、ポインタの操作により、ポインタ位置が入力されたか否かを判定する（ステップＳ２３）
【００６８】
ステップＳ２３で、ＣＰＵ１１２は、ポインタ位置が入力されたと判定すると（ステップｓ２３；Ｙｅｓ）、所定の再生開始位置から記録された映像／音声データの再生を行い（ステップＳ２４）、本処理を終了する。
【００６９】
一方、ステップＳ２３で、ＣＰＵ１１２は、ポインタ位置が入力されていないと判定すると（ステップｓ２３；Ｎｏ）、ステップＳ２３の処理を繰り返して行う。
【００７０】
また、ステップＳ２１で、サムネイル画像よる再生開始位置指示表示が選択されると、ＣＰＵ１１２は、当該選択に従って、サムネイル画像データに基づいてサムネイル画像を表示させる（ステップＳ２５）。
【００７１】
次いで、ＣＰＵ１１２は、サムネイル画像表示により、サムネイル画像が指定されたか否かを判定する（ステップＳ２６）。
【００７２】
ステップＳ２６で、ＣＰＵ１１２は、サムネイル画像が指定されたと判定すると（ステップｓ２６；Ｙｅｓ）、サムネイル画像に対応する所定の再生開始位置から記録された映像／音声データの再生を行い（ステップＳ２７）、本処理を終了する。
【００７３】
一方、ステップＳ２６で、サムネイル画像が指定されていないと判定すると（ステップｓ２６；Ｎｏ）、ＣＰＵ１１２は、ステップＳ２６の処理を繰り返して行う。
【００７４】
以上説明した本発明にかかるデータ記録再生装置１００によれば、ＣＰＵ１１２による記録制御プログラム１１５ａの実行により現在選局されている番組の録画動作を開始し、再生開始位置指定プログラム１１５ｂの実行により、ユーザ所望の時点で再生開始位置の指定入力が行われ、指示入力された再生開始位置データの記録動作を開始し、第１の再生制御プログラム１１５ｃの実行により、リモコン２を通じて再生開始位置からの再生指示が入力されると、ＣＰＵ１１２に、再生開始位置データとして記録された再生開始位置からの映像／音声データの再生を行わせることができ、第１の消去プログラム１１５ｄの実行により、データ記録動作が終了した時点で、再生開始位置指定手段としてのリモコン２による再生開始位置の指定がされなかった場合、ハードディスク７１により記録された映像／音声データを消去することができ、第２の消去プログラム１１５ｅの実行により、ハードディスク７１に記録された映像／音声データの記録時間が設定時間を超えると所定時間単位で記録開始から順に映像／音声データの記録を消去すると共に、再生開始位置指定手段による再生開始位置の指定がされた時点で映像／音声データの消去を停止することができる。また、第１の表示制御プログラム１１５ｆの実行により、ハードディスク７１に記録された映像／音声データの記録時間に応じた長さのゲージと当該ゲージの近傍に再生開始位置を指定するためのポインタとをテレビジョン受像機２００に表示させ、第２の再生制御プログラム１１５ｇの実行により、リモコン操作によるポインタ位置に基づく再生開始位置から映像／音声データの再生を行うことができる。また、サムネイル画像生成プログラム１１５ｈにより、再生開始位置指定の時点での静止映像データをサムネイル画像データとしてＨＤＤ部７に記録を実行させ、第２の表示制御プログラム１１５ｉの実行により、サムネイル画像データ生成プログラム１１５ｈにより生成されたサムネイル画像データに基づく画像をテレビジョン受像機２００に表示させ、第１の再生制御プログラム１１５ｃの実行により、リモコン２を通じて、所望のサムネイル画像データに対応する再生開始位置からの再生指示が入力されると、再生開始位置データとして記録された再生開始位置からの映像／音声データの再生を行わせることができる。したがって、ユーザ所望の再生開始位置から容易に再生可能で、且つ、再生して見る可能性が低いデータを効率よく消去して、記録容量の節約を図ることができる。
【００７５】
なお、映像／音声データの再生は、ユーザ所望の再生開始位置から再生するようにしたが、ユーザが余裕を持ってこれらの位置から再生されたものを視聴することができるよう、これらの位置よりも前の位置から再生するようにしても良い。
【００７６】
また、ユーザ所望の時点で再生開始位置の指定入力を行う場合、再生開始位置からの再生指示入力を行う場合、また、テレビジョン受像機２００の表示画面上に表示されたポインタを移動させる場合等、各種操作を決定するために専用キーを設けず、既存の操作キーと併用する構成であっても良い。
【図面の簡単な説明】
【００７７】
【図１】本発明におけるデータ記録再生装置の機能的構成を示すブロック図である。
【図２】本発明におけるデータ記録装置の構成要素であるリモコン２のイメージ図である。
【図３】本発明におけるデータ記録再生装置の第１の表示制御手段による表示例の図である。
【図４】本発明におけるデータ記録再生装置の第２の表示制御手段による表示例の図である。
【図５】本発明におけるデータ記録再生装置による映像／音声データの記録及び消去に関する処理を説明するためのフローチャートである。
【図６】本発明におけるデータ記録再生装置による映像／音声データの再生に関する処理を説明するためのフローチャートである。
【符号の説明】
【００７８】
１００    データ記録再生装置
１        機器本体
２        リモコン（指定手段、ポインタ位置入力手段、表示制御選択手段）
７１      ハードディスク（データ記憶手段、再生開始位置記憶手段）
１１２    ＣＰＵ（記録制御手段、再生開始位置指定手段、第１の再生制御手段、第１の消去手段、第２の消去手段、第１の表示制御手段、第２の再生制御手段、サムネイル画像生成手段、第２の表示制御手段）
１１５ａ    記録制御プログラム（記録制御手段）
１１５ｂ    再生開始位置指定プログラム（再生開始位置指定手段）
１１５ｃ    第１の再生制御プログラム（第１の再生制御手段）
１１５ｄ    第１の消去プログラム（第１の消去手段）
１１５ｅ    第２の消去プログラム（第２の消去手段）
１１５ｆ    第１の表示制御プログラム（第１の表示制御手段）
１１５ｇ    第２の再生制御プログラム（第２の再生制御手段）
１１５ｈ    サムネイル画像生成プログラム（サムネイル画像生成手段）
１１５ｉ    第２の表示制御プログラム（第２の表示制御手段）
２００      テレビジョン受像機（表示手段）
【図１】
0004501863.tif 000002
【図２】
0004501863.tif 000003
【図３】
0004501863.tif 000004
【図４】
0004501863.tif 000005
【図５】
0004501863.tif 000006
【図６】
0004501863.tif 000007